(57)【要約】【課題】  ユーザが所有する記録媒体を登録し、登録内容に基づいてサービスを提供する。【解決手段】  ユーザが所有するＣＤ（コンパクトディスク）をＥＭＤ端末３に挿入すると、ＥＭＤ端末３の情報登録部３３は、ＣＤに記述されたタイトル情報を読み出し、顧客情報データベース６に登録する。ＥＭＤサーバ２は、ＥＭＤ端末３から音楽コンテンツの購入要求を受信すると、ユーザが購入を希望する音楽コンテンツのリストを決済処理サーバ４に送信する。決済処理サーバ４は、顧客情報データベース６にユーザが所有するＣＤのタイトル情報が登録されている場合には、ユーザが所有するＣＤの種類や枚数に応じて音楽コンテンツの割引価格を算出する。【選択図】  図１
2005122487.tif 000002
【特許請求の範囲】
【請求項１】
記録媒体の識別情報と記録媒体を所有するユーザとを関連付けて格納する識別情報格納装置と、
記録媒体に記録された識別情報を読み取る識別情報読取手段と、上記識別情報読取手段が読み取った記録媒体の識別情報を上記識別情報格納装置に登録する識別情報登録手段とを備えるユーザ端末と、
上記識別情報格納装置を参照してユーザが所有する記録媒体の識別情報に応じたサービスをユーザに提供するサービス提供装置と
がネットワークで接続されたサービス提供システム。
【請求項２】
上記識別情報読取手段は、コンパクトディスクのサブコードに記述された識別情報を読み取ることを特徴とする請求項１記載のサービス提供システム。
【請求項３】
上記ユーザ端末に情報を販売する情報販売装置を備え、
上記サービス提供装置は、上記情報販売装置が販売した情報の割引価格を算出することを特徴とする請求項１記載のサービス提供システム。
【請求項４】
記録媒体に記録された識別情報を読み取る識別情報読取手段と、
上記識別情報読取手段が読み取った記録媒体の識別情報をネットワーク上の識別情報格納装置に登録する識別情報登録手段とを備えるユーザ端末。
【請求項５】
上記識別情報読取手段は、コンパクトディスクのサブコードに記述された識別情報を読み取ることを特徴とする請求項４記載のユーザ端末。
【請求項６】
ユーザ端末が記録媒体に記録された識別情報を読み取る識別情報読取工程と、
上記記録媒体の識別情報と上記記録媒体を所有するユーザとを関連付けて識別情報格納手段に格納する識別情報格納工程と、
上記識別情報格納手段を参照してユーザが所有する記録媒体に応じたサービスをユーザに提供するサービス提供工程と
を有することを特徴とするサービス提供方法。
【請求項７】
識別情報読取工程では、コンパクトディスクのサブコードに記述された識別情報を読み取ることを特徴とする請求項６記載のサービス提供方法。
【請求項８】
上記ユーザ端末に情報を販売する情報販売工程を更に有し、
上記サービス提供工程はユーザが所有する記録媒体に応じて情報の割引価格を算出することを特徴とする請求項６記載のサービス提供方法。
【発明の詳細な説明】
【技術分野】
【０００１】
本発明は、記録媒体を購入したユーザに対しサービスを提供するサービス提供システム、サービス提供方法、及びユーザが購入した記録媒体を自動的に登録するユーザ端末に関する。
【背景技術】
【０００２】
一般に、ユーザは、同じ商品であれば価格の安い方を選択する。そこで、ネットワーク配信システムでは、情報の価格を下げてユーザの購買意欲を向上させることがある。例えば、従来の情報配信システムでは、販売する情報と同時に広告を配信し、ユーザが広告を閲覧したときに、情報の販売価格を割引する（例えば、特許文献１参照）。しかしながら、特許文献１記載の発明は、広告の配信を主目的としており、広告を多くのユーザに閲覧させるために情報の販売価格を割り引いている。
【０００３】
また、情報の販売価格の割引を行うほかのシステムとして、ユーザが商品を購入すればするほど、商品の価格を下げたり、景品をつけたりするシステムが存在する。このようなシステムでは、ユーザの商品購入履歴をデータベースに記録し、この記録を基にユーザへのサービス内容を決定している。
【０００４】
ところで、現在、情報の流通方法には、ネットワークを媒介とした情報流通と、記録媒体を媒介とした情報流通とがある。例えば、音楽配信では、ネットワークを介して音楽を配信したり、ＣＤ（コンパクトディスク）に記録して販売したりすることができる。このように情報の流通では、流通する媒体が異なるだけであって音楽を販売する音楽販売業者が同一であることがある。そこで、記録媒体を介して情報を購入したユーザに対しても、ネットワークを介して情報を購入したユーザと同様にサービスを与えると、両方の市場が相乗効果で促進され市場の活性化が予想される。
【０００５】
記録媒体の購入履歴をネットワーク配信で活用するためには、ユーザが所有する記録媒体の情報をデータベースに登録する必要がある。しかしながら、ユーザが記録媒体の情報を手動でデータベースに登録することは、非常に煩雑である。また、ユーザが手動で入力した情報は、信頼性が低く、入力ミスが生じたり、実際には所有していない記録媒体の情報を入力したりすることがある。
【０００６】
【特許文献１】特開２００３−００６５３０号公報
【発明の開示】
【発明が解決しようとする課題】
【０００７】
本発明は、どのような記録媒体をユーザが所有するかを登録し、この登録内容に基づいてユーザにサービスを提供するサービス提供システム、及びサービス提供方法に関する。
【課題を解決するための手段】
【０００８】
本発明に係るサービス提供システムは、記録媒体の識別情報と記録媒体を所有するユーザとを関連付けて格納する識別情報格納装置と、記録媒体に記録された識別情報を読み取る識別情報読取手段と、識別情報読取手段が読み取った記録媒体の識別情報を識別情報格納装置に登録する識別情報登録手段とを備えるユーザ端末と、識別情報格納装置を参照してユーザが所有する記録媒体の識別情報に応じたサービスをユーザに提供するサービス提供装置とがネットワークで接続されている。
【０００９】
本発明に係るユーザ端末は、記録媒体に記録された識別情報を読み取る識別情報読取手段と、別情報読取手段が読み取った記録媒体の識別情報をネットワーク上の識別情報格納装置に登録する識別情報登録手段とを備える。
【００１０】
本発明に係るサービス提供方法は、ユーザ端末が記録媒体に記録された識別情報を読み取る識別情報読取工程と、記録媒体の識別情報と記録媒体を所有するユーザとを関連付けて識別情報格納手段に格納する識別情報格納工程と、識別情報格納手段を参照してユーザが所有する記録媒体に応じたサービスをユーザに提供するサービス提供工程とを有する。
【発明の効果】
【００１１】
本発明に係るサービス提供システムによれば、ユーザが購入した記録媒体に関する情報を識別情報格納装置に格納するため、この情報を基にユーザにサービスを提供することができる。
【００１２】
本発明に係るサービス提供方法によれば、ユーザ端末が記録媒体に記録された識別情報を読み取り、記録媒体の識別情報とこの記録媒体を所有するユーザとを関連付けて記録するため、この情報を基にユーザにサービスを提供することができる。
【発明を実施するための最良の形態】
【００１３】
本発明は、ユーザが所有するＣＤ（コンパクトディスク）やＤＶＤなど記録媒体の識別情報をデータベースに登録し、ユーザが所有する記録媒体の種類や個数に応じてユーザに所定のサービスを提供するものである。
【００１４】
図１は、本発明を適用した音楽販売システム１である。音楽配信システムはインターネットのようなネットワークを用いて定額制の音楽配信サービス（ＥＭＤ：Electronic Music Distribution）によって提供された音楽コンテンツを管理することを前提としている。
【００１５】
音楽販売システム１は、図１に示すように音楽コンテンツを販売するＥＭＤサーバ２と、音楽コンテンツをＥＭＤサーバ２から購入するＥＭＤ端末３と、ＣＤのタイトルに関する情報を格納するタイトル情報データベース５と、ユーザが所有するＣＤに関する情報を記憶する顧客情報データベース６と、ユーザが所有するＣＤの枚数及び種類に基づいてＥＭＤサーバ２が販売した音楽コンテンツの割引価格を算出し割引後の価格をユーザから徴収する決済処理サーバ４とを備える。
【００１６】
ＥＭＤ端末３は、ネットワークを介しての流通を前提として著作権保護されたディジタルオーディオデータを再生できる仕組みと、ＣＤに記録されたディジタルオーディオデータを再生できる仕組みとを備える。ＥＭＤ端末３は、ユーザがＣＤ７をセットすると自動的にＣＤ７のタイトル情報を読み取り、読み取った内容を顧客情報データベース６に登録することを特徴とする。ＥＭＤ端末３は、図２に示すようにネットワークに接続するためのネットワークインターフェース３４と、ＥＭＤサーバ２から音楽コンテンツを購入する音楽コンテンツ購入部３１と、ＣＤ７に記録された情報を読み取るＣＤドライバ３２と、ユーザが所有するＣＤのタイトル情報を顧客情報データベース６に登録させる情報登録部３３とを備える。
【００１７】
情報登録部３３は、ＣＤドライバ３２が読み取ったタイトル情報を顧客情報データベース６に登録する。タイトル情報は、ＣＤに記録された情報を識別する情報である。タイトル情報は、ＣＤのＰＱサブコードに記録されている。サブコードとは、ＣＤディスク内の音響ステレオ信号以外の情報でＰ、Ｑ、Ｒ、Ｓ、Ｔ、Ｕの８ビットから成り立っている。ＰＱサブコードとは、ＰチャネルとＱチャネルとをあわせたものである。ＰＱサブコードに記録されたタイトル情報には、ＣＤのディスクのタイトル、ディスクに含まれる各曲のタイトル、アーティスト名、ディスクに含まれる各曲の録音年、ディスクのバーコードと各曲のＩＳＲＣ（International Standard Recording Code）が記述されている。情報登録部３３は、タイトル情報をＰＱサブコードから読み出し、読み出したタイトル情報にユーザＩＤを付加し顧客情報データベース６に登録させる。
【００１８】
情報登録部３３は、ＣＤに十分なタイトル情報が記述されていないとき（例えば、ＣＤの発売時期が古くＩＳＲＣが記述されていないとき）にタイトル情報データベース５にアクセスして目的のタイトル情報を検索する。タイトル情報データベース５は、ＣＤのタイトルに関する情報を蓄積したデータベースである。タイトル情報データベース５は、例えば、図３に示すようにＣＤのディスクのタイトル、ディスクに含まれる各曲のタイトル、アーティスト名、ディスクに含まれる各曲の録音年月日、ディスクのバーコードと各曲のＩＳＲＣ、ＣＤを作成した音楽業者名、著作権所有者などのタイトル情報を格納している。情報登録部３３は、必要な情報がＰＱサブコードに記録されていない場合にはタイトル情報データベース５を検索して、検索した結果を顧客情報データベース６に登録させる。
【００１９】
顧客情報データベース６は、情報登録部３３からタイトル情報を受信すると、既に登録したタイトル情報と重複していないか否かをチェックし、重複していない場合のみタイトル情報を登録し、不正な重複登録を防ぐ。
【００２０】
ＥＭＤサーバ２は、音楽コンテンツをＥＭＤ端末３に販売するとともに販売内容を決済処理サーバ４に送信する。ＥＭＤサーバ２は、図４に示すように多数の音楽コンテンツを記憶する音楽コンテンツ記憶部２１と、音楽コンテンツをＥＭＤ端末３に販売するコンテンツ販売部２２と、ネットワークインターフェースとを備える。
【００２１】
決済処理サーバ４は、クレジットカード会社が運営しておりＥＭＤサーバ２が販売した音楽コンテンツの割引価格を算出し、ユーザの銀行口座やプリペイド式のカード等から音楽コンテンツの代金を徴収する。決済処理サーバ４は、図５に示すように、ネットワークに接続するためのネットワークインターフェース４３と、音楽コンテンツの販売代金を算出する割引価格算出部４１と、販売代金をユーザの銀行口座やプリペイド式のカード等から引き落とす決済処理部４２とを備える。
【００２２】
割引価格算出部４１は、音楽コンテンツの割引価格を算出する。割引価格の算出方法は任意である。一例として、ある音楽業者ＡのＣＤ７を５枚所有するごとに、音楽業者Ａに所属するアーティストの音楽コンテンツを１０％割引する等が考えられる。基本的に、ＣＤ７を多く所有すればその分音楽コンテンツの割引率を上昇させる。決済処理部４２は、割引価格算出部４１が算出した音楽コンテンツの割引価格をユーザの銀行口座やプリペイド式のカード等から引き落とす。
【００２３】
以下、上述した構成をもつ音楽販売システム１の音楽販売手順について図６、図７のフローチャートに従い説明する。音楽販売処理では、まず、ＥＭＤ端末３がタイトル情報を顧客情報データベース６に登録する。図６は、タイトル情報登録処理の手順を示している。情報登録部３３は、ユーザからタイトル情報の登録が指示されると（ステップＳ１１）、まず、ＣＤドライバ３２にＣＤが挿入されているか否かをチェックする（ステップＳ１２）。情報登録部３３は、ＣＤドライバ３２にＣＤが挿入されているとき（ステップＳ１３；ＹＥＳ）、ＣＤドライバ３２を駆動してＣＤのＰＱサブコードを読み取る（ステップＳ１４）。一方、ＣＤドライバ３２にＣＤが挿入されていないときには（ステップＳ１３；ＮＯ）、ＣＤの挿入を待機する。
【００２４】
情報登録部３３は、ＰＱサブコードを読み取るとＰＱサブコードに記述された情報に漏れがあるか否かを判断する（ステップＳ１５）。情報登録部３３は、ＰＱサブコードに記述されたタイトル情報以外のタイトル情報が必要なとき（ステップＳ１５；ＮＯ）、タイトル情報データベース５にアクセスし（ステップＳ１６）タイトル情報データベース５から必要なタイトル情報を受信する（ステップＳ１７）。情報登録部は、タイトル情報とユーザＩＤとを含む情報を顧客情報データベース６に送信する（ステップＳ１８）。顧客情報データベース６は、受信したタイトル情報を登録する（ステップＳ１９）。以上のようにして、タイトル情報の登録が完了する。
【００２５】
ＥＭＤ端末３は、タイトル情報の登録が完了するとＥＭＤサーバ２にアクセスして音楽コンテンツを購入する。図７は、音楽コンテンツの購入処理の手順を示している。
【００２６】
ユーザが購入する音楽コンテンツを選択すると（ステップＳ２１）、ＥＭＤ端末３はＥＭＤサーバ２に対してユーザが選択した音楽コンテンツのリストを送信する（ステップＳ２２）。決済処理サーバ４は、ＥＭＤサーバ２又はＥＭＤ端末３から音楽コンテンツのリストを受信し、音楽コンテンツの販売価格の算出を開始する。決済処理サーバ４は、購入価格を算出する際、まず、顧客情報データベース６にアクセスし（ステップＳ２３）、ユーザが所有するＣＤのタイトル情報が登録されているか否かを検索する。そして、顧客情報データベース６にユーザの所有するＣＤが登録されている場合には（ステップＳ２４；ＹＥＳ）、ユーザが所有するＣＤのタイトル情報を基に音楽コンテンツの割引価格を算出する（ステップＳ２５）。一方、ユーザがＣＤを所有しない場合には（ステップＳ２４；ＮＯ）、音楽コンテンツの割引はせず、音楽コンテンツの正規の価格を算出する（ステップＳ２６）。
【００２７】
割引価格の算出方法は、特に規定しないが、一例として、ある音楽業者ＡのＣＤを５枚所有するごとに、音楽業者Ａに所属するアーティストの音楽コンテンツを１０％割引する等が考えられる。基本的に、ＣＤを多く所有すればその分音楽コンテンツの割引率を上昇させる。
【００２８】
決済処理サーバ４が算出した音楽コンテンツの販売価格は、ＥＭＤ端末３に送信される（ステップＳ２７）。ＥＭＤ端末３は、受信した割引価格を表示画面に表示し、ユーザが購入を決定するボタンを選択すると（ステップＳ２８；ＹＥＳ）、その旨をＥＭＤサーバ２及び決済処理サーバ４に送信する（ステップＳ２９）。ＥＭＤサーバ２は、ユーザに音楽コンテンツを配信する（ステップＳ３０）決済処理サーバ４は、割引価格をユーザの銀行口座若しくはプリペイド式のカード等から引き落とし決済処理を完了する（ステップＳ３１）。なお、ステップＳ２８においてユーザが音楽コンテンツの購入を決定しなかった場合（ステップＳ２８；ＮＯ）、ステップＳ２１に戻り購入する音楽コンテンツの選択を開始する。
【００２９】
以上説明したように、本発明を適用した音楽販売システム１は、ユーザが所有するＣＤ７のタイトル情報を顧客情報データベース６に登録し、ユーザが所有するＣＤ７の種類や枚数に応じて音楽コンテンツの購入価格を割引する。
【００３０】
この音楽販売システム１では、ＥＭＤ端末３がＣＤ７のＰＱサブコードを読み取り、ＰＱサブコードに記述されたタイトル情報を自動的に顧客情報データベース６に登録する。そのため、ユーザは、ＣＤ７のタイトル情報を手動で入力する必要はなく簡単にサービスを受けることができる。
【００３１】
なお、本発明は、上述した実施の形態に制限されるものではなく、ＥＭＤ端末３が自動的にタイトル情報をデータベースに登録し、この情報を基にユーザにサービスを提供するという本発明の要旨を含む発明は、本発明に含まれるものとする。
【００３２】
例えば、本発明は、音楽コンテンツを販売するシステムのほかに、映像コンテンツ、ゲームプログラム、静止画、アプリケーションプログラム、電子書籍などその他の情報を販売するシステムにも適用することができる。
【００３３】
また、音楽販売システム１では、音楽コンテンツの購入価格を割引するサービスを提供したが提供するサービスは購入価格の割引に限定されるものではない。
【００３４】
また、コンテンツを記録する記録媒体は、ＣＤだけでなく、ＤＶＤ、ＦＤ（フロッピーディスク；登録商標）、半導体メモリなどでもよい。
【図面の簡単な説明】
【００３５】
【図１】音楽販売システムの構成を示す概念図である。
【図２】ＥＭＤ端末の構成を示すブロック図である。
【図３】タイトル情報データベースの記録内容を示す図である。
【図４】ＥＭＤサーバの構成を示すブロック図である。
【図５】決済処理サーバの構成を示すブロック図である。
【図６】タイトル情報登録処理の流れを示すフローチャートである。
【図７】音楽コンテンツ購入処理の流れを示すフローチャートである。
【符号の説明】
【００３６】
１  音楽販売システム、２  ＥＭＤサーバ、３  ＥＭＤ端末、４  決済処理サーバ、５  タイトル情報データベース、６  顧客情報データベース、７  ＣＤ、２１  音楽コンテンツ記憶部、２２  コンテンツ販売部、３１  音楽コンテンツ購入部、３２  ＣＤドライバ、３３  情報登録部、４１  割引価格算出部、４２  決済処理部
【図１】
2005122487.tif 000003
【図２】
2005122487.tif 000004
【図３】
2005122487.tif 000005
【図４】
2005122487.tif 000006
【図５】
2005122487.tif 000007
【図６】
2005122487.tif 000008
【図７】
2005122487.tif 000009